(57)【要約】【課題】分岐開閉器を増設する際に１００Ｖ負荷用のものと２００Ｖ負荷用のものとを混在させたとしても、中性線欠相によって負荷に過電圧が印加されることのない分電盤の分岐回路増設構造を提供する。【解決手段】単相３線式配線路に接続される主幹開閉器の一次側又は二次側のうち何れかの側の３つの端子に分岐配線を介してそれぞれ電気的に接続され３本の導電バーを互いに異なる高さ位置に配置し、増設用分岐開閉器の器体５１の一側に、一方の電圧線（Ｌ１相）に接続される導電バーが差込接続される共通端子Ｔ１を、Ｌ１相の導電バーに対応する高さ位置に配置するとともに、他方の電圧線（Ｌ２相）及び中性線（Ｎ相）の導電バーの何れか一方に差込接続される選択端子Ｔ２を、Ｌ２相の導電バーに対応する高さ位置とＮ相の導電バーに対応する高さ位置との間で移動自在に配置してある。【選択図】　　　図１
2004064962.tif 000002
【特許請求の範囲】
【請求項１】
２本の電圧線と中性線との３線で給電する単相３線式配線路に電気的に接続された主幹開閉器の一次側又は二次側の何れかに増設用分岐開閉器を電気的に接続して分岐回路を増設する分電盤の分岐回路増設構造であって、
前記主幹開閉器の一次側又は二次側のうち何れかの側の３つの端子に分岐配線を介してそれぞれ電気的に接続され、互いに異なる高さに配置される３本の導電バーと、複数の増設用分岐開閉器とで構成され、３本の導電バーの内、一方の電圧線に電気的に接続される導電バーを第１の高さ位置に配置するとともに、残りの２本の導電バーを第２及び第３の高さ位置にそれぞれ配置し、各増設用分岐開閉器の器体の一側に、前記一方の電圧線に電気的に接続される導電バーが差込接続される第１の受刃を、第１の高さ位置に配置するとともに、残りの２本の導電バーの何れか一方に差込接続される第２の受刃を、第２又は第３の高さ位置の何れかに配置したことを特徴とする分電盤の分岐回路増設構造。
【請求項２】
前記器体の一側に、前記第２の受刃を、前記第２の高さ位置と前記第３の高さ位置との間で移動自在に配置したことを特徴とする請求項１記載の分電盤の分岐回路増設構造。
【発明の詳細な説明】
【０００１】
【発明の属する技術分野】
本発明は、分電盤の内部に配設された既設の分岐開閉器とは別に、分岐回路を増設するために増設用の分岐開閉器を主幹開閉器に接続する分電盤の分岐回路増設構造に関するものである。
【０００２】
【従来の技術】
近年、一般家庭において２００Ｖの家電製品が普及してきており、高出力を必要とする温水器や調理器具などの用途にもガスに代わって電気温水器やＩＨクッキングヒータなどの２００Ｖ家電が使用されている。
【０００３】
このような２００Ｖ家電を使用するには、住宅内の分電盤に２００Ｖ負荷用の分岐開閉器を設置する必要があり、住宅を新築する場合は、予め２００Ｖ負荷用の分岐開閉器を分電盤内の分岐開閉器配設位置に配設しておくことで、２００Ｖ負荷に対応することができる。また、既設の住宅にあっても、分電盤内の分岐開閉器配設位置に２００Ｖ負荷用の分岐開閉器を配設するスペースがあれば、そのスペースに２００Ｖ負荷用の分岐開閉器を増設して、２００Ｖ負荷に給電することが可能である。
【０００４】
しかしながら、既設の住宅では、分電盤内部の分岐開閉器配設位置に分岐開閉器を増設するスペースが無い場合が多く、２００Ｖ負荷用の分岐開閉器を増設する場合は、主幹開閉器の一次側又は二次側の電圧線（Ｌ１相，Ｌ２相）用の端子に、２本の分岐配線を介して、分電盤内の空きスペース或いは分電盤の外部に配設された分岐開閉器を接続し、この分岐開閉器を２００Ｖ負荷用として用いていた。
【０００５】
また、１００Ｖ負荷用の分岐開閉器を増設する場合でも、分電盤内の分岐開閉器配設位置に増設用の分岐開閉器を配設するスペースが無い場合は、主幹開閉器の一次側又は二次側の端子の内、何れか一方の電圧線（Ｌ１相又はＬ２相）が接続される端子と中性線（Ｎ相）が接続される端子とに、２本の分岐配線を介して、分電盤内の空きスペースに配設された１００Ｖ負荷用の分岐開閉器を接続し、１００Ｖ負荷に電源を供給していた（例えば特開平１０−１０８３１８号公報参照）。
【０００６】
【発明が解決しようとする課題】
ところで、分岐開閉器を増設する際に、１００Ｖ負荷用の分岐開閉器と２００Ｖ負荷用の分岐開閉器とを混在させた場合は、以下に述べるような問題がある。
【０００７】
主幹開閉器の一次側に１００Ｖ負荷用の分岐開閉器を増設する場合は、主幹開閉器の一次側の端子の内、何れか一方の電圧線（Ｌ１相又はＬ２相）用の端子と、中性線（Ｎ相）用の端子のみに分岐配線を接続し、この分岐配線を介して増設用の分岐開閉器を接続するので、増設した全ての分岐開閉器は一方の電圧線と中性線との間に接続されることになる。したがって、主幹開閉器が中性線欠相保護機能を備えていれば、中性線欠相が発生した場合、主幹開閉器の二次側の分岐回路と増設した分岐回路とは電気的に遮断されるので、増設した分岐回路には電圧が印加されず、全く問題はない。また、主幹開閉器の一次側の電圧線（Ｌ１相，Ｌ２相）用の端子に、分岐配線を介して分岐開閉器を接続し、２００Ｖ負荷に給電した場合、単相３線式配線路の中性線が欠相したとしても、負荷にかかる電圧は２００Ｖのままであり、全く問題はない。
【０００８】
一方、２００Ｖ負荷用の分岐開閉器に加えて、１００Ｖ負荷用の分岐開閉器を増設するために、主幹開閉器の一次側の電圧線（Ｌ１相，Ｌ２相）および中性線（Ｎ相）の３つの端子全てに分岐配線を接続し、Ｌ１相とＬ２相とＮ相の内の２つの相に分岐配線を介して分岐開閉器を接続する場合、作業者が接続を誤って、Ｌ１相とＮ相との間に１００Ｖ負荷用の分岐開閉器を接続するとともに、Ｌ２相とＮ相との間に１００Ｖ負荷用の分岐開閉器を接続してしまう可能性がある。このように接続すると、増設した分岐開閉器は主幹開閉器の一次側に接続されているので、中性線欠相が発生した場合に増設された分岐開閉器に接続されている負荷に過電圧が加わって、負荷が破損する可能性があった。
【０００９】
本発明は上記問題点に鑑みて為されたものであり、その目的とするところは、分岐開閉器を増設する際に１００Ｖ負荷用のものと２００Ｖ負荷用のものとを混在させたとしても、中性線欠相によって負荷に過電圧が印加されることのない分電盤の分岐回路増設構造に関するものである。
【００１０】
【課題を解決するための手段】
上記目的を達成するために、請求項１の発明では、２本の電圧線と中性線との３線で給電する単相３線式配線路に電気的に接続された主幹開閉器の一次側又は二次側の何れかに増設用分岐開閉器を電気的に接続して分岐回路を増設する分電盤の分岐回路増設構造であって、主幹開閉器の一次側又は二次側のうち何れかの側の３つの端子に分岐配線を介してそれぞれ電気的に接続され、互いに異なる高さに配置される３本の導電バーと、複数の増設用分岐開閉器とで構成され、３本の導電バーの内、一方の電圧線に電気的に接続される導電バーを第１の高さ位置に配置するとともに、残りの２本の導電バーを第２及び第３の高さ位置にそれぞれ配置し、各増設用分岐開閉器の器体の一側に、一方の電圧線に電気的に接続される導電バーが差込接続される第１の受刃を、第１の高さ位置に配置するとともに、残りの２本の導電バーの何れか一方に差込接続される第２の受刃を、第２又は第３の高さ位置の何れかに配置したことを特徴とする。
【００１１】
請求項２の発明では、請求項１の発明において、器体の一側に、第２の受刃を、第２の高さ位置と第３の高さ位置との間で移動自在に配置したことを特徴とする。
【００１２】
【発明の実施の形態】
本発明の一実施形態を図１〜図８を参照して説明する。
【００１３】
図３に示すように、分電盤１０の外殻は合成樹脂成型品であって、前面が開口した箱状のボディ１１と、ボディ１１の開口を開閉自在に塞ぐカバー（図示せず）とで構成される。
【００１４】
ボディ１１の底壁には電線挿通用の窓孔１２が開口しており、窓孔１２の左右両側に設けた支持台（図示せず）に、主幹開閉器２０や複数の分岐開閉器３０を取り付けるための架台１３が取り付けられている。なお、複数の分岐開閉器３０は導電バー（図示せず）を挟んで上下２列に配置されている。
【００１５】
主幹開閉器２０は、器体２１の前面上部に一次側の３個の端子２２ａ〜２２ｃを、前面下部に二次側の３個の端子２３ａ〜２３ｃをそれぞれ配設してあり、一次側の端子２２ａ〜２２ｃには、２本の電圧線と中性線との３線で給電する単相３線式配線路（図示せず）がそれぞれ接続される。ここに、２本の電圧線を区別するために、２本の電圧線の各々をＬ１相、Ｌ２相と言い、中性線をＮ相と言う。そして、２本の電圧線の内、Ｌ１相は図中右側の端子２２ａに、Ｌ２相は左側の端子２２ｂに、中性線（Ｎ相）は中央の端子２２ｃにそれぞれ接続される。
【００１６】
図中上側に並設された複数個の分岐開閉器３０と、下側に並設された複数個の分岐開閉器３０との間には、主幹開閉器２０の二次側の端子２３ａ〜２３ｃにそれぞれ電気的に接続された３本の導電バー（図示せず）が異なる高さ位置に平行に配設されており、各分岐開閉器３０は３本の導電バーの内の２本にそれぞれ電気的に接続されている。
【００１７】
また、主幹開閉器２０の一次側の端子２２ａ〜２２ｃには、３本の分岐配線４９ａ〜４９ｃを介して分岐回路を増設するための分岐開閉器ブロック４０が電気的に接続されている。
【００１８】
分岐開閉器ブロック４０は、２個の増設用分岐開閉器５０ａ，５０ｂと、導電性の良好な金属板から形成された３本の導電バー６１〜６３を保持する端子台６０と、増設用分岐開閉器５０ａ，５０ｂ及び端子台６０が取り付けられるベース４１と、増設用分岐開閉器５０ａ，５０ｂ及び端子台６０を覆うようにしてベース４１に被着されるカバー４５とで構成される。
【００１９】
ベース４１は金属板を折曲することによって、矩形板状の載置片４２の長手方向における一端側の側縁から断面Ｌ形の脚片４３を延設すると共に、長手方向における他端側に一段低くなった段部４２ｂを形成して、段部４２ｂの先端縁から断面Ｌ形の脚片４３を延設してある。各脚片４３には、ねじ挿通孔４３ａが２個ずつ形成されており、ねじ挿通孔４３ａに挿通した固定ねじ（図示せず）を用いて壁面などに固定される。載置片４２の略中央には、並設される２個の増設用分岐開閉器５０ａ，５０ｂの外側面とそれぞれ当接する当接片４２ａ，４２ａが切り起こしによって形成されている。また、載置片４２の長手方向における一端側の側縁からは、ねじ孔４４ａを有する固定片４４が切り起こしによって形成されている。また、載置片４２に設けた段部４２ｂには樹脂製の留め具７２が取り付けられる２個の取付孔４２ｃが左右方向に並べて貫設してある。留め具７２は主部７２ａの裏面に、先端から上方に向かって抜け止めのかえしが突出する係止部７２ｂを突設してあり、この係止部７２ｂを取付孔４２ｃに圧入することで、留め具７２がベース４１に固定される。
【００２０】
カバー４５は絶縁性を有する合成樹脂により下面が開口した箱状に形成され、上面略中央には増設用分岐開閉器５０ａ，５０ｂのハンドル５３を露出させるための窓孔４５ａが貫設されている。また、カバー４５の長手方向に沿う両側面４６には、ベース４１の載置片４２の両側縁とそれぞれ係合する一対のリブ４６ａが内側面に突設されている。また、カバー４５の短幅方向に沿う両側面４７には、下端部の略中央にケーブル導入用のノックアウト部４７ａがそれぞれ形成されている。
【００２１】
端子台６０は、各増設用分岐開閉器５０ａ，５０ｂの一側に設けた差込部５２ａ〜５２ｃに一端部が挿入される３本の導電バー６１〜６３の他端部を合成樹脂成型品の基台６４に挿入保持し、各導電バー６１〜６３の他端部に端子ねじ７０ａ〜７０ｃをそれぞれ螺合させたものである。
【００２２】
導電バー６１は、２個の増設用分岐開閉器５０ａ，５０ｂの下段の差込部５２ａに一端部が挿入される主片６１ａと、主片６１ａの他端部左側縁から連続一体に延設された断面Ｌ形の端子片６１ｂとで構成され、端子片６１ｂには端子ねじ７０ａの螺合するねじ孔６１ｃが形成されている。導電バー６２は、２個の増設用分岐開閉器５０ａ，５０ｂの中段の差込部５２ｂに一端部が挿入される主片６２ａと、主片６２ａの他端部右側縁から連続一体に延設された端子片６２ｂとで構成され、端子片６２ｂには端子ねじ７０ｂの螺合するねじ孔６２ｃが形成されている。また導電バー６３は、２個の増設用分岐開閉器５０ａ，５０ｂの上段の差込部５２ｃに一端部が挿入される主片６３ａと、主片６３ａの他端部略中央から連続一体に延設された断面Ｌ形の端子片６３ｂとで構成され、端子片６３ｂには端子ねじ７０ｃの螺合するねじ孔６３ｃが形成されている。
【００２３】
基台６４は増設用分岐開閉器５０ａ，５０ｂとの対向面が開放された箱状に形成され、その内部は隔壁６５ａ，６５ｂによって上下方向に３つの収納室に分離され、各収納室に導電バー６１〜６３の他端部が挿入保持される。なお、基台６４の内面および隔壁６５ａ，６５ｂの上下面には導電バー６１〜６３を保持するための止め片６７が突設されており、止め片６７に設けた爪６７ａと各導電バー６１〜６３の主片６１ａ〜６３ａに設けた孔６１ｄ〜６３ｄとが係合することで、導電バー６１〜６３の抜けを防止している。
【００２４】
また基台６４における増設用分岐開閉器５０ａ，５０ｂと反対側の端部上面には、各導電バー６１，６２，６３の端子片６１ｂ，６２ｂ，６３ｂをそれぞれ載置する段部６６ａ，６６ｂ，６６ｃが形成されており、導電バー６１，６２，６３の他端部を基台６４の各収納室に挿入すると、各収納室の側壁に設けた挿通孔（図示せず）から端子片６１ｂ，６２ｂ，６３ｂが外側に突出し、段部６６ａ，６６ｂ，６６ｃ上にそれぞれ載置される。ここで、図３及び図４に示すように端子片６３ｂが中央に、端子片６１ｂが端子片６３ｂの左側に、端子片６２ｂが端子片６３ｂの右側にそれぞれ配置されており、各端子片６１ｂ，６２ｂ，６３ｂには、それぞれ、一端が主幹開閉器２０の一次側の電圧極（Ｌ１相、Ｌ２相）および中性極（Ｎ相）の端子２２ａ，２２ｂ，２２ｃに結線された分岐配線４９ａ，４９ｂ，４９ｃの他端が端子ねじ７０ａ，７０ｂ，７０ｃにより電気的且つ機械的に接続されるようになっている。すなわち、３本の導電バー６１，６２，６３の内、下段の導電バー６１はＬ１相、中段の導電バー６２はＬ２相、上段の導電バー６３はＮ相となっている。尚、中央の段部６６ｃは両側の段部６６ａ，６６ｂに比べて一段高くなっており、端子片６１ｂ，６２ｂ，６３ｂの取付高さが異なっているので、絶縁距離を十分に確保でき、また結線作業をやりやすくしている。
【００２５】
また基台６４には、ベース４１の固定片４４に対応する取付片６８が側方に突設され（図５参照）、取付片６８に貫設した挿通孔（図示せず）に取付ねじ６９を通して、固定片４４のねじ孔４４ａに螺合することで基台６４がベース４１に固定される。
【００２６】
次に増設用分岐開閉器５０ａ，５０ｂの構造について説明する。分岐開閉器５０ａ，５０ｂは同様の構造を有しており、その器体５１は、合成樹脂製の第１側ケース５１Ａと第２側ケース５１Ｂとを重ね合わせて結合することで構成され、器体５１の内部には固定接点と、固定接点に接離自在に接触する可動接点とでそれぞれ構成される２組の接点部（図示せず）と、各接点部を開閉させる開閉機構（図示せず）とを収納してあり、ハンドル５３のオンオフ操作によって開閉機構を介して接点部を開閉させる構成となっている。
【００２７】
器体５１の一端内部には、図１又は図２に示すように、異なる高さ位置（図では上下方向）に各々配設された３本の導電バー６１〜６３の内の下段のＬ１相の導電バー６１を差込接続する第１の受刃たる共通端子Ｔ１を収納配置する収納部５４ａと、中段及び上段のＬ２相、Ｎ相の導電バー６２，６３のうちの１本を選択して差込接続する第２の受刃たる選択端子Ｔ２を２本の導電バー６２，６３に対応した少なくとも２つの位置の間で移動自在に配設する内方収納部５４ｂを設けてある。
【００２８】
また器体５１の一端部には、両側ケース５１Ａ，５１Ｂの端壁と側壁にかけて形成したＬ字状の切欠溝を突き合わせることにより端面及び側面が開口した導電バー差込用の差込部５２ａ〜５２ｃを上、中、下の三段に配設された３本の導電バー６１〜６３に対応するように形成しており、上段、中段の差込部５２ａ，５２ｂは内方収納部５４ｂ内に、下段の差込部５２ｃは収納部５４ａ内に連通してある。
【００２９】
共通端子Ｔ１及び選択端子Ｔ２は共に略コ字状で、上下に並行する両側片の先部が互いに近接した後、先端にかけて拡開した刃受ばねから構成され、先端拡開により導電バー６１、６２又は６３の差込を容易とし、中央の近接部位で導電バー６１、６２又は６３を挟み込むようになっている。
【００３０】
内方収納部５４ｂには、残りの２本の導電バー６２，６３に各々対応する２つの位置で選択端子Ｔ２を位置決めする位置決め手段として、第１側ケース５１Ａの内方収納部５４ｂを構成する区画の端部壁面に断面略半円状の突起５５を第１側ケース５１Ａの幅方向に設けてある。
【００３１】
器体５１の内方収納部５４ｂの天井部に当たる壁には、選択端子Ｔ２が２本の導電バー６２，６３の内のどちらに対応する位置にあるのか表示する表示手段として、内方収納部５４ｂ内に連通する通孔５６を設け、この通孔５６から選択端子Ｔ２を収納したスライド部材５７の上部に形成せる円柱状の表示部５７ａが通孔５６に臨んで外部から視認できるか、通孔５６から離れた位置にあって外部から視認できないかにより選択端子Ｔ２の位置を知ることができるようになっている。また通孔５６を介してスライド部材５７を外部から押し操作して下方移動させることも可能としている。この通孔５６は両側ケース５１Ａ、５１Ｂの上面側壁に設けた半円の切欠孔５６ａが突き合わせられて形成される円形の孔からなる。
【００３２】
スライド部材５７は合成樹脂成形品からなり、図７及び図８に示すように、器体５１の両端方向に対応する両端面が開口した枠体状に形成されたもので、選択端子Ｔ２を構成する刃受ばねを一端開口から挿入して、他端開口より刃受ばねの先端部を突出させるようにして保持しており、選択端子Ｔ２はこのスライド部材５７と共に内方収納部５４ｂ内を図１及び図２において上下方向に移動自在に配置される。尚、図７中の７１は選択端子Ｔ２と接点部との間を電気的に接続する編組線である。
【００３３】
内方収納部５４ｂの両側壁を構成する両側ケース５１Ａ，５１Ｂの側壁の内面にはスライド部材５７の両側部に形成したスライド突起５７ｂを上下移動自在に係合してスライドさせる上下方向のガイド溝５８を２条の並行する突起５９間に形成しており、内方収納部５４ｂはこの両側壁のガイド溝５８にスライド部材５７の両側のスライド突起５７ｂを係合した状態でスライド部材５７とともに選択端子Ｔ２を上下方向にスライド移動自在に収納保持している。尚、内方収納部５４ｂ側にスライド突起を、ガイド溝をスライド部材５７側に設けても良い。
【００３４】
スライド部材５７は、第１側ケース５１Ａの側部より図７及び図８に示すように図において下方に延びた脚片５７ｃを一体に延長形成するとともに、脚片５７ｃの下端部には外向きに突出した突出部５７ｄを形成してある。そして、この突出部５７ｄは、内方収納部５４ｂの側壁を構成する第１側ケース５１Ａの側壁の外側に第１側ケース５１Ａの底面から上方向に形成されたスライド溝５１ａの上端底部に内方収納部５４ｂと連通するように開口した挿通孔５１ｃから、スライド溝５１ａ内に挿入されて、脚片５７ｃとともにスライド溝５１ａ内を上下方向にスライド自在に位置される。
【００３５】
ここに、スライド溝５１ａと挿通孔５１ｃとは選択端子Ｔ２を装着したスライド部材５７を上下移動させるためのガイド部を構成しており、スライド溝５１ａの底部は内方収納部５４ｂ内に突出するように形成され、スライド溝５１ａの上端底部に形成された挿通孔５１ｃを介してスライド溝５１ａ内に上方挿入される脚片５７ｃの裏面がスライド溝５１ａの底部に摺接可能なようになっている。またスライド溝５１ａの最上方には突出部５７ｄがスライド溝５１ａの上端部へ移動したときに衝合する突出部５１ｂを設けてある。
【００３６】
而して、突出部５７ｄが内方収納部５４ｂ内の選択端子Ｔ２の上下移動させる操作部を構成し、器体５１外部からこの表示部５７ａを持って或いはドライバ等で押し上げたり、押し下げることによってスライド溝５１ａ内をスライド移動させれば、このスライド移動に伴い内方収納部５４ｂ内のスライド部材５７が選択端子Ｔ２と共にスライド突起５７ｂとガイド溝５８とによるガイドによって上又は下へ移動することになる。また、上記の操作によってスライド部材５７が移動する際、スライド部材５７の先端上部或いは先端下部がその弾性と位置決め突起５５のアール面とにより位置決め突起５５を乗り越え、移動後は位置決め突起５５にスライド部材５７の枠部の先端下部或いは先端上部が当たって、選択端子Ｔ２の位置を保持するようになっている。
【００３７】
ここで、突出部５７ｄがスライド溝５１ａの下端部にある位置が、図２に示すように中段の導電バー６２に選択端子Ｔ２が対応する位置で、突出部５７ｄがスライド溝５１ａの上端部にある位置が、図１に示すように上段の導電バー６１に選択端子Ｔ２が対応する位置となるように、脚片５７ｃの長さ及びガイド部を構成しており、上記突出部５７ｄの操作により選択端子Ｔ２の位置を上段のＮ相の導電バー６３或いは中段のＬ２相の導電バー６２に対応させることができるのである。そして、選択端子Ｔ２の位置を中段のＬ２相の導電バー６２に対応させた場合は、共通端子Ｔ１がＬ１相、選択端子Ｔ２がＬ２相にそれぞれ接続されるので、分岐開閉器には２００Ｖが印加される。また、選択端子Ｔ２の位置を上段のＮ相の導電バー６３に対応させた場合は、共通端子Ｔ１がＬ１相、選択端子Ｔ２がＮ相にそれぞれ接続されるので、分岐開閉器には１００Ｖが印加される。
【００３８】
本実施形態では図４に示すように、一方の増設用分岐開閉器５０ａでは、表示部５７ａが通孔５６に臨んで外部から視認可能となっているので、選択端子Ｔ２が上段の導電バー６３に対応する位置に移動しており、１００Ｖ負荷用として用いられている。また他方の増設用分岐開閉器５０ｂでは、表示部５７ａが外部から視認できないので、選択端子Ｔ２が中段の導電バー６２に対応する位置に移動しており、２００Ｖ負荷用として用いられている。尚、図３では２個の選択端子Ｔ２が図示されているが、２個の選択端子Ｔ２の内、上段の導電バー６３に対応する高さ位置に配置された選択端子Ｔ２が増設用分岐開閉器５０ａの端子であり、中段の導電バー６２に対応する高さ位置に配置された選択端子Ｔ２は増設用分岐開閉器５０ａに並置された増設用分岐開閉器５０ｂの端子を示している。
【００３９】
ところで、共通端子Ｔ１及び選択端子Ｔ２は、２つの接点部の可動接点に電気的に接続されている。また器体５１の他端部には、斜め上向きに開口した一対の電線挿入孔５１ｅが並行形成されており、各電線挿入孔５１ｅから挿入された電線は器体５１内に収納された速結端子構造の接続端子（図示せず）に接続され、接続端子を介して２つの接点部の固定接点に電気的に接続されている。
【００４０】
而して各電線挿入孔５１ｅに夫々負荷側の電線を挿入して各接続端子に接続し、導電バー６１を差込部５２ａを介して共通端子Ｔ１に差込接続し、導電バー６２又は６３を差込部５２ｂ又は５２ｃを介して選択端子Ｔ２に差込接続すれば主幹開閉器２０の一次側から分岐した電路に増設用分岐開閉器５０ａ，５０ｂを挿入することができるようになっている。
【００４１】
この分岐開閉器ブロック４０を組み立てる際には、一対の留め具７２をベース４１の載置片４２に設けた取付孔４２ｃにそれぞれ圧入して、固定した後、載置片４２における両当接片４２ａ，４２ａの間の部位に２個の増設用分岐開閉器５０ａ，５０ｂを並べて配置し、留め具７２に設けた係止片７２ｃを器体５１の一側面に設けた係止溝５１ｄに挿入して、器体５１の一側を固定する。次に、基台６４の各収納室に導電バー６１〜６３を挿入して保持させた状態で、導電バー６１〜６３の一端部を増設用分岐開閉器５０ａ，５０ｂの差込部５２ａ〜５２ｃに挿入して、各増設用分岐開閉器５０ａ，５０ｂの共通端子Ｔ１及び選択端子Ｔ２を対応する導電バー６１〜６３に差込接続した後、取付ねじ６９を基台６４の取付片６８に設けた挿通孔に通して、ベース４１の固定片４４に設けたねじ孔４４ａに螺合することにより、端子台６０と２個の増設用分岐開閉器５０ａ，５０ｂとがベース４１に固定される。そして、ベース４１の上側から、端子台６０と２個の増設用分岐開閉器５０ａ，５０ｂとを覆うようにしてカバー４５を被せると、カバー４５の両側面４６の弾性によってリブ４６ａがベース４１の載置片４２を乗り越え、載置片４２の端縁と係合することで、カバー４５とベース４１とが結合され、組立作業が完了する。
【００４２】
上述のように構成された分岐開閉器ブロック４０では、各導電バー６１〜６３の端子片６１ｂ〜６３ｂに、一端が主幹開閉器２０の一次側の電圧極（Ｌ１相、Ｌ２相）および中性極（Ｎ相）の端子２２ａ〜２２ｃに結線された分岐配線４９ａ〜４９ｃの他端を端子ねじ７０ａ〜７０ｃにより電気的且つ機械的に接続しており、３本の導電バー６１〜６３の内、下段の導電バー６１はＬ１相、中段の導電バー６２はＬ２相、上段の導電バー６３はＮ相となっている。そして、一方の増設用分岐開閉器５０ａは、選択端子Ｔ２が上段の導電バー６３に対応する位置に移動しているので、共通端子Ｔ１及び選択端子Ｔ２にそれぞれ導電バー６１，６３が差込接続され、１００Ｖ負荷用として用いられる。また他方の増設用分岐開閉器５０ｂは、選択端子Ｔ２が中段の導電バー６２に対応する位置に移動しているので、共通端子Ｔ１及び選択端子Ｔ２にそれぞれ導電バー６１，６２が差込接続され、２００Ｖ負荷用として用いられる。
【００４３】
本実施形態の分岐開閉器ブロック４０は、１００Ｖ負荷用の分岐開閉器と２００Ｖ負荷用の分岐開閉器とを混在させて増設しているが、各増設用分岐開閉器５０ａ，５０ｂの共通端子Ｔ１はＬ１相の導電バー６１に対応する高さ位置に配置され、選択端子Ｔ２はＬ２相の導電バー６２に対応する高さ位置とＮ相の導電バー６３に対応する高さ位置との間で移動自在となっているので、一方の端子（共通端子Ｔ１）は必ずＬ１相の導電バー６１に接続され、他方の端子（選択端子Ｔ２）はＬ２相又はＮ相の導電バー６２，６３の何れかに接続されることになる。
【００４４】
したがって、増設用分岐開閉器５０ａ，５０ｂを１００Ｖ負荷用として用いる場合は、両端子Ｔ１，Ｔ２がＬ１相とＮ相に接続されることになり、増設用分岐開閉器５０ａ，５０ｂに接続される負荷はＬ１相とＮ相との間のみに接続され、Ｌ２相とＮ相との間には接続されないから、中性線欠相が発生して主幹開閉器２０の保護機能が作動した場合（主幹開閉器２０の一次側と二次側との間が遮断された場合）は増設用分岐開閉器５０ａ，５０ｂに接続される負荷に電圧が印加されなくなり、過電圧が加わることはないので負荷の破損を防止できる。
【００４５】
また、選択端子Ｔ２は第２の高さ位置と第３の高さ位置との間で移動自在となっているので、選択端子Ｔ２を移動させることで、Ｌ２相及びＮ相の導電バー６２，６３のうちの１本に選択的に接続できるから、１つの増設用分岐開閉器５０ａ，５０ｂを１００Ｖ負荷用又は２００Ｖ負荷用として用いることができ、したがって１００Ｖ負荷用のものと２００Ｖ負荷用のものを別々に製造する必要がないので、増設用分岐開閉器の種類を少なくして、量産効果によるコストダウンが図れる。
【００４６】
尚、本実施形態では、２個の増設用分岐開閉器５０ａ，５０ｂの内、一方の増設用分岐開閉器５０ａを１００Ｖ負荷用、他方の増設用分岐開閉器５０ｂを２００Ｖ負荷用として用いているが、両方の増設用分岐開閉器５０ａ，５０ｂの選択端子Ｔ２を上段の導電バー６３に対応する位置に移動させて、１００Ｖ負荷用として用いても良い。この場合、２個の増設用分岐開閉器５０ａ，５０ｂは共に１００Ｖ負荷用であるが、両方ともＬ１相とＮ相に接続されているので、上述のように中性線欠相が発生して主幹開閉器２０の保護機能が作動すると、２個の増設用分岐開閉器５０ａ，５０ｂには電圧が印加されなくなるから、増設用分岐開閉器５０ａ，５０ｂに接続された負荷に過電圧が加わることはなく、負荷の破損を防止できる。また、増設用分岐開閉器の個数が２個の場合を例に説明しているが、増設用分岐開閉器の個数を２個に限定する趣旨のものではなく、３個以上としても良い。
【００４７】
また、本実施形態では主幹開閉器２０の一次側から分岐配線４９ａ〜４９ｃを介して増設用分岐開閉器５０ａ，５０ｂに給電しているが、主幹開閉器２０の二次側から分岐配線４９ａ〜４９ｃを介して増設用分岐開閉器５０ａ，５０ｂに給電するようにしても良い。
【００４８】
【発明の効果】
上述のように、請求項１の発明は、２本の電圧線と中性線との３線で給電する単相３線式配線路に電気的に接続された主幹開閉器の一次側又は二次側の何れかに増設用分岐開閉器を電気的に接続して分岐回路を増設する分電盤の分岐回路増設構造であって、主幹開閉器の一次側又は二次側のうち何れかの側の３つの端子に分岐配線を介してそれぞれ電気的に接続され、互いに異なる高さに配置される３本の導電バーと、複数の増設用分岐開閉器とで構成され、３本の導電バーの内、一方の電圧線に電気的に接続される導電バーを第１の高さ位置に配置するとともに、残りの２本の導電バーを第２及び第３の高さ位置にそれぞれ配置し、各増設用分岐開閉器の器体の一側に、一方の電圧線に電気的に接続される導電バーが差込接続される第１の受刃を、第１の高さ位置に配置するとともに、残りの２本の導電バーの何れか一方に差込接続される第２の受刃を、第２又は第３の高さ位置の何れかに配置したことを特徴とし、第１の受刃を第１の高さ位置に配置するとともに、第２の受刃を第２又は第３の高さ位置の何れかに配置しているので、第２の受刃を他方の電圧線に対応する高さ位置に配置した場合は２００Ｖ負荷用として、第２の受刃を中性線に対応する高さ位置に配置した場合は１００Ｖ負荷用として用いることができる。しかも、第１の受刃を一方の電圧相に対応する高さ位置に固定しているので、複数の増設用分岐開閉器を１００Ｖ負荷用として用いたとしても、全ての増設用分岐開閉器は一方の電圧線と中性線とに接続され、他方の電圧線に接続されることはないから、増設用分岐開閉器を介して給電される負荷は一方の電圧線と中性線との間のみに接続されることになり、したがって中性線欠相が発生した場合は、増設用分岐開閉器を介して接続された負荷に電圧が印加されなくなるので、中性線欠相によって負荷に過電圧が加わって、負荷が破損するのを防止できるという効果がある。
【００４９】
請求項２の発明は、請求項１の発明において、器体の一側に、第２の受刃を、第２の高さ位置と第３の高さ位置との間で移動自在に配置したことを特徴とし、第２の受刃を移動させることで、第２の受刃を残りの２本の導電バーのうちの１本に選択的に接続できるから、１つの増設用分岐開閉器を１００Ｖ負荷用又は２００Ｖ負荷用として用いることができ、したがって１００Ｖ負荷用のものと２００Ｖ負荷用のものを別々に製造する必要がないので、増設用分岐開閉器の種類を少なくして、量産効果によるコストダウンが図れるという効果がある。
【図面の簡単な説明】
【図１】本実施形態に用いる増設用分岐開閉器を１００Ｖ用として使用する状態を示し、（ａ）は第１側ケースの一部省略せる一側面図、（ｂ）は第１側ケースの一部省略せる他側面図である。
【図２】同上の増設用分岐開閉器を２００Ｖ用として使用する状態を示し、（ａ）は第１側ケースの一部省略せる一側面図、（ｂ）は第１側ケースの一部省略せる他側面図である。
【図３】同上の全体構成を説明する説明図である。
【図４】同上の増設ブロックの分解斜視図である。
【図５】同上の増設ブロックのカバーを外した状態の側面図である。
【図６】同上の増設ブロックの外観斜視図である。
【図７】同上の増設用分岐開閉器に用いるスライド部材と選択端子との関係を示す分解斜視図である。
【図８】同上のスライド部材と、第１側ケース及び第２側ケースとの関係を示す一部省略せる分解斜視図である。
【符号の説明】
５１　器体
Ｔ１　共通端子
Ｔ２　選択端子
【図１】
2004064962.tif 000003
【図２】
2004064962.tif 000004
【図３】
2004064962.tif 000005
【図４】
2004064962.tif 000006
【図５】
2004064962.tif 000007
【図６】
2004064962.tif 000008
【図７】
2004064962.tif 000009
【図８】
2004064962.tif 000010